(57)【特許請求の範囲】
【請求項１】
吸込口及び吹出口が形成された筐体と、
前記筐体の内側に配設され、前記吸込口から空気を吸い込んで、前記吹出口から吹き出す送風機と、
前記筐体の内側の、前記吸込口と前記吹出口との間の風路に配設された熱交換器と、
前記吹出口から吹き出される気流の上下方向の風向を調整する上下方向風向調整板と、を備え、
前記上下方向風向調整板は、ベース板とカバー板とを有し、
前記ベース板は、前記カバー板が中空部を形成するように接合された第１領域と、該第１領域の外側に形成され、袋状に成形された第２領域と、を有し、
前記第２領域は、前記第１領域の前記気流の上流側に形成された、
ことを特徴とする空気調和機の室内機。
【請求項２】
前記カバー板の前記第１領域と対向する面には、先端が前記第１領域に当接するリブが形成された、
ことを特徴とする請求項１に記載の空気調和機の室内機。
【請求項３】
前記リブは、前記カバー板の全周に亘って形成された、
ことを特徴とする請求項２に記載の空気調和機の室内機。
【請求項４】
前記ベース板に、前記カバー板の前記第１領域と対向する面の、前記リブが形成されていない領域を受ける段差が形成された、
ことを特徴とする請求項２又は３に記載の空気調和機の室内機。
【請求項５】
前記カバー板は、前記第１領域に超音波接合された、
ことを特徴とする請求項１〜４のいずれか一項に記載の空気調和機の室内機。
【請求項６】
前記第２領域の袋部内に、断熱材が配設された、
ことを特徴とする請求項１〜５のいずれか一項に記載の空気調和機の室内機。
【請求項７】
前記上下方向風向調整板は、冷房運転時に、下面の少なくとも一部が、前記風路の延長面の下側に位置する、
ことを特徴とする請求項１〜６のいずれか一項に記載の空気調和機の室内機。
【発明の詳細な説明】
【技術分野】
【０００１】
本発明は、空気調和機の室内機に関する。
【背景技術】
【０００２】
従来の空気調和機の室内機として、吸込口及び吹出口が形成された筐体と、筐体の内側に配設され、吸込口から空気を吸い込んで、吹出口から吹き出す送風機と、筐体の内側の、吸込口と吹出口との間の風路に配設された熱交換器と、吹出口から吹き出される気流の上下方向の風向を調整する上下方向風向調整板と、を備えるものがある。
【０００３】
上下方向風向調整板は、ベース板とカバー板とを有し、ベース板は、カバー板が中空部を形成するように接合された第１領域と、第１領域の外側に形成され、袋状に成形された第２領域と、を有する。第１領域に形成された中空部の内側の空気層が断熱層として機能することで、冷房運転等で生じるその表面の結露が抑制される。また、第２領域の袋部の内側の空気層が断熱層として機能することで、冷房運転等で生じるその表面の結露が抑制される（例えば、特許文献１を参照）。
【先行技術文献】
【特許文献】
【０００４】
【特許文献１】特開平１１−３７５３６号公報（段落［００１６］〜段落［００２６］、図１〜図５）
【発明の概要】
【発明が解決しようとする課題】
【０００５】
従来の空気調和機の室内機では、上下方向風向調整板の剛性を向上するために、第２領域が、ベース板の、気流の上流側の先端から気流の下流側の先端に亘って形成される。そのような状態で、例えば、冷房運転時等の、上下方向風向調整板の気流の下流側の先端における室内空気の巻き込みによって生じるその先端の結露を抑制するために、その先端を細くしようとすると、成型上又は加工上の困難性が増して、第２領域の気流の下流側の先端まで袋状にすることができなくなる。その結果、第２領域の気流の下流側の先端の周囲の表面に生じる結露を抑制することができなくなる。
【０００６】
つまり、従来の空気調和機の室内機では、構造上、上下方向風向調整板の気流の下流側の先端を細くしつつ、その先端まで袋状にすることができず、その先端に生じる結露の抑制と、その先端の周囲の表面に生じる結露の抑制と、を両立することができないという問題点があった。
【０００７】
本発明は、上記のような課題を背景としてなされたものであり、上下方向風向調整板の先端に生じる結露の抑制と、その先端の周囲の表面に生じる結露の抑制と、を両立することができる空気調和機の室内機を得ることを目的とする。
【課題を解決するための手段】
【０００８】
本発明に係る空気調和機の室内機は、吸込口及び吹出口が形成された筐体と、前記筐体の内側に配設され、前記吸込口から空気を吸い込んで、前記吹出口から吹き出す送風機と、前記筐体の内側の、前記吸込口と前記吹出口との間の風路に配設された熱交換器と、前記吹出口から吹き出される気流の上下方向の風向を調整する上下方向風向調整板と、を備え、前記上下方向風向調整板は、ベース板とカバー板とを有し、前記ベース板は、前記カバー板が中空部を形成するように接合された第１領域と、該第１領域の外側に形成され、袋状に成形された第２領域と、を有し、前記第２領域は、前記第１領域の前記気流の上流側に形成されたものである。
【発明の効果】
【０００９】
本発明に係る空気調和機の室内機は、上下方向風向調整板が、ベース板とカバー板とを有し、ベース板が、カバー板が中空部を形成するように接合された第１領域と、第１領域の外側に形成され、袋状に成形された第２領域と、を有し、第２領域が、第１領域の気流の上流側に形成されたものであるため、上下方向風向調整板の気流の下流側の先端を細くすることを、成型上又は加工上の困難性が増えることのない第１領域の中空部の厚みを小さくすることによって実現できる。そのため、上下方向風向調整板の先端に生じる結露の抑制と、その先端の周囲の表面に生じる結露の抑制と、を両立することができる。
【図面の簡単な説明】
【００１０】
【図１】本発明の実施の形態１に係る空気調和機の室内機の、分解斜視図である。
【図２】本発明の実施の形態１に係る空気調和機の室内機の、断面図である。
【図３】本発明の実施の形態１に係る空気調和機の室内機の、ドレンパン組立体の斜視図である。
【図４】本発明の実施の形態１に係る空気調和機の室内機の、ドレンパン組立体の下側外側支持部の支持構造を説明する図である。
【図５】本発明の実施の形態１に係る空気調和機の室内機の、ドレンパン組立体の下側中央支持部の支持構造を説明する図である。
【図６】本発明の実施の形態１に係る空気調和機の室内機の、気流を説明する図である。
【図７】本発明の実施の形態１に係る空気調和機の室内機の、下側上下方向風向調整板の分解斜視図である。
【図８】本発明の実施の形態１に係る空気調和機の室内機の、ベース板の第２領域の周辺の斜視図である。
【図９】本発明の実施の形態１に係る空気調和機の室内機の、ベース板の断面図である。
【図１０】本発明の実施の形態１に係る空気調和機の室内機の、カバー板の斜視図である。
【図１１】本発明の実施の形態１に係る空気調和機の室内機の、下側上下方向風向調整板の、ベース板にカバー板が接合された状態での断面図である。
【図１２】本発明の実施の形態２に係る空気調和機の室内機の、下側上下方向風向調整板の、ベース板にカバー板が接合された状態での断面図である。
【発明を実施するための形態】
【００１１】
以下、本発明に係る空気調和機の室内機について、図面を用いて説明する。
なお、以下で説明する構成等は、一例であり、本発明に係る空気調和機の室内機は、そのような構成等に限定されない。
また、各図において、同一の又は類似する部材又は部分には、同一の符号を付すか、又は、符号を付すことを省略している。
また、細かい構造については、適宜図示を簡略化又は省略している。
また、重複又は類似する説明については、適宜簡略化又は省略している。
【００１２】
実施の形態１．
実施の形態１に係る空気調和機の室内機について説明する。
＜空気調和機の室内機の構成＞
以下に、実施の形態１に係る空気調和機の室内機の構成について説明する。
【００１３】
図１は、本発明の実施の形態１に係る空気調和機の室内機の、分解斜視図である。図２は、本発明の実施の形態１に係る空気調和機の室内機の、断面図である。
図１及び図２に示されるように、室内機１は、筐体２と、送風機３と、熱交換器４と、フィルターユニット５と、電気品箱６と、ドレンパン組立体７と、を備える。
【００１４】
筐体２は、例えば、室内の壁面等に取り付けられる基台２ａと、基台２ａの前方に配設される枠体２ｂと、枠体２ｂの前方に配設される前面パネル２ｃと、を有する。筐体２の、例えば、上面に、吸込口２ｄが形成され、前面下部に、吹出口２ｅが形成される。基台２ａの前面下部に、吸込口２ｄと吹出口２ｅとの間の風路の一部を構成し、吹出口２ｅに向かって延びるリアガイド８が配設される。
【００１５】
送風機３は、例えば、貫流ファンであり、筐体２の内側の、吸込口２ｄと吹出口２ｅとの間の風路に、回転軸が室内機１の左右方向と平行になるように配設され、吸込口２ｄから室内空気を吸い込んで、吹出口２ｅから吹き出す。
【００１６】
熱交換器４は、例えば、フィンチューブ型であり、筐体２の内側の、吸込口２ｄと吹出口２ｅとの間の風路に、送風機３の前方及び上方を覆うように配設される。熱交換器４には、冷媒が供給される。
【００１７】
フィルターユニット５は、例えば、吸込口２ｄに配設される。なお、フィルターユニット５は、自動清掃機能を有してもよく、また、有しなくてもよい。
【００１８】
電気品箱６は、例えば、筐体２の内側に配設され、室内機１の制御を司る制御装置６ａ等が収納される。制御装置６ａは、例えば、マイクロプロセッサユニット等で構成される。制御装置６ａは、そのようなものに限定されず、例えば、ファームウェア等の更新可能なもので構成されてもよく、また、ＣＰＵ等からの指令によって実行されるプログラムモジュール等であってもよい。
【００１９】
ドレンパン組立体７は、例えば、筐体２の内側の、前方下部に配設される。ドレンパン組立体７は、ノズル部１１と、上側支持部１２と、下側支持部１３と、上側上下方向風向調整板１４と、下側上下方向風向調整板１５と、を有する。なお、ドレンパン組立体７が、左右方向風向調整板を有してもよく、また、有しなくてもよい。下側上下方向風向調整板１５の構成は、後に詳述される。
【００２０】
ノズル部１１の先端は、送風機３の近傍まで延び、ノズル部１１の先端とリアガイド８との間に、送風機３が配設される。ノズル部１１の上面は、熱交換器４の結露水を受けるドレンパンとして機能すると共に、吸込口２ｄと送風機３との間の風路の一部を構成し、ノズル部１１の下面は、送風機３と吹出口２ｅとの間の風路の一部を構成する。
【００２１】
上側支持部１２は、ノズル部１１の下面に配設され、上側上下方向風向調整板１４を支持する。また、下側支持部１３は、ノズル部１１の下面に配設され、下側上下方向風向調整板１５を支持する。
【００２２】
図３は、本発明の実施の形態１に係る空気調和機の室内機の、ドレンパン組立体の斜視図である。なお、図３（ａ）は、上側上下方向風向調整板１４及び下側上下方向風向調整板１５が取り付けられた状態での斜視図であり、図３（ｂ）は、上側上下方向風向調整板１４及び下側上下方向風向調整板１５が取り外された状態での斜視図である。また、図３は、ドレンパン組立体７が、左右方向風向調整板を有する場合を示している。
【００２３】
図３に示されるように、ドレンパン組立体７は、室内機１の左右方向に並置された２つの下側上下方向風向調整板１５＿１、１５＿２を、下側支持部１３によって支持する。下側支持部１３は、例えば、下側外側支持部１３ａ＿１、１３ａ＿２と、下側中央側支持部１３ｂ＿１、１３ｂ＿２と、で構成される。
【００２４】
下側外側支持部１３ａ＿１、１３ａ＿２は、室内機１の左右方向の外側に配設され、下側上下方向風向調整板１５＿１、１５＿２の、室内機１の左右方向の外側の端部を支持する。
【００２５】
下側中央側支持部１３ｂ＿１、１３ｂ＿２は、室内機１の左右方向の中央側に形成され、下側上下方向風向調整板１５＿１、１５＿２の、室内機１の左右方向の中央側の端部を支持する。下側中央側支持部１３ｂ＿１及び下側中央側支持部１３ｂ＿２が、一体化されるとよい。
【００２６】
図４は、本発明の実施の形態１に係る空気調和機の室内機の、ドレンパン組立体の下側外側支持部の支持構造を説明する図である。なお、図４では、下側上下方向風向調整板１５＿１の支持構造を示しているが、下側上下方向風向調整板１５＿２の支持構造についても同様である。
【００２７】
図４に示されるように、下側外側支持部１３ａ＿１、１３ａ＿２は、例えば、ステッピングモーター等の回動機構２１を内蔵する。下側上下方向風向調整板１５＿１、１５＿２には、例えば、十字状の穴３１ａが形成された連結部３１が配設される。回動機構２１の出力軸２１ａは、連結部材２２を介して、穴３１ａに連結される。回動機構２１の出力軸２１ａの回転角度が、制御装置６ａによって制御されることで、下側上下方向風向調整板１５＿１、１５＿２の上下方向の角度が調整される。
【００２８】
図５は、本発明の実施の形態１に係る空気調和機の室内機の、ドレンパン組立体の下側中央支持部の支持構造を説明する図である。なお、図５では、下側上下方向風向調整板１５＿１の支持構造を示しているが、下側上下方向風向調整板１５＿２の支持構造についても同様である。
【００２９】
図５に示されるように、下側中央側支持部１３ｂ＿１、１３ｂ＿２には、室内機１の左右方向に貫通する穴１３ｂａが形成される。下側上下方向風向調整板１５＿１、１５＿２には、軸部材３２ａを有する連結部３２が配設される。軸部材３２ａは、図中矢印方向にスライドすることができる。使用者、保守作業者等によって、軸部材３２ａが図中実線矢印方向にスライドされると、軸部材３２ａの先端が、穴１３ｂａに挿入されて、下側上下方向風向調整板１５＿１、１５＿２が、下側支持部１３に支持される。使用者、保守作業者等によって、軸部材３２ａが図中点線矢印方向にスライドされると、下側上下方向風向調整板１５＿１、１５＿２が、下側支持部１３から離脱される。そのように構成されることで、使用者、保守作業者等が、下側上下方向風向調整板１５＿１、１５＿２を取り外して、清掃することが可能となる。
【００３０】
以下に、空気調和機の室内機１の気流について説明する。
図６は、本発明の実施の形態１に係る空気調和機の室内機の、気流を説明する図である。なお、図６は、室内機１が、冷房運転時の水平吹きを行っている状態を示している。
【００３１】
図６に示されるように、吸込口２ｄから吸い込まれた室内空気は、熱交換器４を通過することで冷却又は加熱され、リアガイド８とノズル部１１の下面との間を通った後、吹出口２ｅから、上側上下方向風向調整板１４及び下側上下方向風向調整板１５の角度に応じた方向に吹き出される。
【００３２】
室内機１では、上下方向風向調整板が、上側上下方向風向調整板１４と下側上下方向風向調整板１５とで構成されるため、上側上下方向風向調整板１４及び下側上下方向風向調整板１５を、上側上下方向風向調整板１４の下面と下側上下方向風向調整板１５の上面との間隔が気流の下流側ほど狭くなるような角度に調整して、冷却空気又は加熱空気を遠くまで吹き出すことが可能である。
【００３３】
また、室内機１では、下側上下方向風向調整板１５が、リアガイド８の延長面上、つまり、吸込口２ｄと吹出口２ｅとの間の風路の下面の延長面上にあるため、冷房運転時の水平吹きを行う際にも、上側上下方向風向調整板１４の下面と下側上下方向風向調整板１５の上面との間に多くの冷却空気を導くことができる。
【００３４】
つまり、室内機１では、冷房運転時の水平吹きを行う際の冷却性能を向上するために、下側上下方向風向調整板１５が、その下面の少なくとも一部が、冷房運転時に、吸込口２ｄと吹出口２ｅとの間の風路の延長面の下側に位置するように、下側支持部１３によって支持されている。
【００３５】
しかし、そのような構成を採用すると、冷房運転時の水平吹きにおいて、冷却空気が、下側上下方向風向調整板１５の下面側を殆ど通過せず、下側上下方向風向調整板１５の上面が、冷却空気によって冷却された状態で、下側上下方向風向調整板１５の下面が、室内空気に接触することとなって、下側上下方向風向調整板１５の下面に結露が生じることとなる。
【００３６】
そのため、下側上下方向風向調整板１５は、中空状であり、中空部の内側に断熱層として機能する空気層が形成される。なお、上側上下方向風向調整板１４は、冷房運転時の水平吹きにおいて、冷却空気が、その上面側及び下面側を通過し、結露が生じ難いため、中空状としていないが、中空状であってもよい。また、上側上下方向風向調整板１４が、冷房運転時の水平吹きにおいて、その上面側を冷却空気が殆ど通過しない位置に、支持されてもよい。
【００３７】
また、下側上下方向風向調整板１５が、中空状であり、中空部の内側に断熱層として機能する空気層が形成されていても、下側上下方向風向調整板１５の気流の下流側の先端が太い場合には、その先端の気流の下流側で、室内空気の巻き込みが生じて、その先端に結露が生じることとなる。
【００３８】
そのため、下側上下方向風向調整板１５は、気流の下流側の先端に生じる結露を抑制するために、その先端が細くされる。
【００３９】
従来の空気調和機の室内機では、上下方向風向調整板の先端を細くして、且つ、その先端を中空状にしようとすると、成型上又は加工上の困難性が増してしまうため、構造上、下側上下方向風向調整板１５の先端に生じる結露の抑制と、その先端の周囲の表面に生じる結露の抑制と、を両立することができなかった。
【００４０】
それに対し、室内機１では、以下のような構成の下側上下方向風向調整板１５を採用しているため、上下方向風向調整板の先端を細くして、且つ、その先端を中空状にすることを、成型上又は加工上の困難性を増すことなく実現できるため、下側上下方向風向調整板１５の先端に生じる結露の抑制と、その先端の周囲の表面に生じる結露の抑制と、を両立することが可能である。
【００４１】
（下側上下方向風向調整板の構成）
以下に、実施の形態１に係る空気調和機の室内機の、下側上下方向風向調整板の構成について説明する。
【００４２】
図７は、本発明の実施の形態１に係る空気調和機の室内機の、下側上下方向風向調整板の分解斜視図である。なお、図７では、下側上下方向風向調整板１５＿１の分解斜視図を示しているが、下側上下方向風向調整板１５＿２の分解斜視図についても同様である。
【００４３】
図７に示されるように、下側上下方向風向調整板１５は、ベース板４１と、カバー板４２と、を有する。ベース板４１及びカバー板４２は、例えば、樹脂製であり、射出成型等によって成型される。ベース板４１とカバー板４２とは、互いの裏面が対向するように、例えば、超音波接合等によって、接合される。
【００４４】
ベース板４１は、カバー板４２が接合される第１領域５１と、カバー板４２が接合されず、第１領域５１の外側に延出し、室内機１の左右方向の外側に位置する外側第２領域５２ａと、カバー板４２が接合されず、第１領域５１の外側に延出し、室内機１の左右方向の中央側に位置する中央側第２領域５２ｂと、を有する。なお、以下では、外側第２領域５２ａと中央側第２領域５２ｂとを総称して、第２領域５２と記載する場合がある。
【００４５】
第２領域５２は、第１領域５１の気流の上流側に位置する。外側第２領域５２ａには、連結部３１が配設される。中央側第２領域５２ｂには、連結部３２が配設される。
【００４６】
図８は、本発明の実施の形態１に係る空気調和機の室内機の、ベース板の第２領域の周辺の斜視図である。図９は、本発明の実施の形態１に係る空気調和機の室内機の、ベース板の断面図である。なお、図９（ａ）は、図７におけるＡ−Ａ線での断面図であり、図９（ｂ）は、図７におけるＢ−Ｂ線での断面図である。また、図８及び図９（ｂ）では、外側第２領域５２ａの周辺の斜視図及び断面図を示しているが、中央側第２領域５２ｂの周辺の斜視図及び断面図についても同様である。
【００４７】
図８及び図９に示されるように、第１領域５１の裏面の、気流の上流側の壁面６１の上面には、段差６２が形成される。第１領域５１の裏面の、第２領域５２と隣接しない領域の周縁には、リブ６３が形成される。
【００４８】
第２領域５２は、袋部７１を有する。つまり、第２領域５２は、袋状に成形される。袋部７１は、第１領域５１の裏面から延びる壁面７２と、壁面７２と対向する壁面７３と、壁面７２と壁面７３との間の三方向を閉塞する側壁面７４、７５、７６と、によって囲まれ、壁面７２と壁面７３との間の一方向が開口部７７となるような空間を形成する。外側第２領域５２ａの袋部７１と、中央側第２領域５２ｂの袋部７１と、は互いの開口部７７が対向する向きに形成される。つまり、袋部７１は、開口部７７が下側上下方向風向調整板１５の左右方向の中央側を向くように形成される。壁面７３に、下側上下方向風向調整板１５の脱着の際の注意事項等が、表記されてもよい。
【００４９】
第２領域５２の、袋部７１の壁面７３の第１領域５１と隣接する領域の周縁には、段差６２から延びる段差７８が形成される。つまり、第２領域５２の、カバー板４２の第１領域５１と対向する面の裏側の面（表面）と並ぶ面に、段差７８が形成される。
【００５０】
連結部３１及び連結部３２は、剛性の観点で、側壁面７４、７５、７６の上方に配設される。また、室内機１が、運転停止時に、上側上下方向風向調整板１４及び下側上下方向風向調整板１５によって、吹出口２ｅを塞ぐように制御される場合には、連結部３１及び連結部３２は、第２領域５２の、運転停止時の外観面とならない側の壁面（壁面７３）に配設される。そのように構成されることで、連結部３１及び連結部３２が、ベース板４１と一体で成型され、剛性の観点からサイズを大きく又は肉厚を厚くされるような場合でも、運転停止時の外観面にひけが生じることが抑制される。
【００５１】
図１０は、本発明の実施の形態１に係る空気調和機の室内機の、カバー板の斜視図である。
図１０に示されるように、カバー板４２の裏面には、周縁から所定の間隔を有する位置に、全周に亘ってリブ８１が形成される。リブ８１の先端は、尖っているとよい。
【００５２】
図１１は、本発明の実施の形態１に係る空気調和機の室内機の、下側上下方向風向調整板の、ベース板にカバー板が接合された状態での断面図である。なお、図１１（ａ）は、図７におけるＡ−Ａ線での断面図であり、図１１（ｂ）は、図１１（ａ）におけるＤ部の拡大図であり、図１１（ｃ）は、図１１（ａ）におけるＥ部の拡大図であり、図１１（ｄ）は、図７におけるＣ−Ｃ線での外側第２領域５２ａの周辺の断面図である。また、図１１（ｄ）では、外側第２領域５２ａの周辺の断面図を示しているが、中央側第２領域５２ｂの周辺の断面図についても同様である。
【００５３】
図１１（ａ）〜（ｃ）に示されるように、ベース板４１とカバー板４２とが、カバー板４２の周縁が、ベース板４１の第１領域５１の段差６２の外壁面及びリブ６３の内側に位置するように、位置決めされる。つまり、ベース板４１に段差６２及びリブ６３が形成されているため、ベース板４１とカバー板４２との位置決めの作業性及び正確性が向上される。そして、その際に、カバー板４２の裏面に形成されたリブ８１の先端が、ベース板４１の第１領域５１の裏面に当接する。
【００５４】
その状態で、ベース板４１とカバー板４２とが近づくように押圧され、超音波振動が加えられると、リブ８１の先端とベース板４１の第１領域５１の裏面とが摩擦熱で溶けて接合される。リブ８１が、カバー板４２の裏面に全周に亘って形成されているため、ベース板４１とカバー板４２との間に、密閉された中空部４３が形成されることとなる。
【００５５】
また、図１１（ｄ）に示されるように、ベース板４１の第２領域５２の段差７８が、カバー板４２のリブ８１が形成される領域の外側の領域を受けるため、袋部７１の開口部７７が塞がれて、中空部４４が形成されることとなる。第２領域５２は、連結部３１及び連結部３２が配設されているため、超音波振動を加えるためのホーンを当て難いが、中空部４４が、超音波接合によらずに塞がれるため、接合の作業性が向上される。
【００５６】
袋部７１が、三方向に側壁面７４、７５、７６を有しているため、つまり、第２領域５２に側壁面７４が形成されているため、超音波接合時に、カバー板４２のリブ８１が形成される領域の外側の領域が、段差７８に押し付けられることによって、段差７８の面が撓んで、隙間が生じることが抑制される。また、下側上下方向風向調整板１５が、下側支持部１３によって支持された時に、段差７８の面が撓んで、隙間が生じることが抑制される。そのため、中空部４４は、ほぼ密閉された中空部となる。
【００５７】
＜空気調和機の室内機の作用＞
以下に、実施の形態１に係る空気調和機の室内機の作用について説明する。
下側上下方向風向調整板１５が、ベース板４１とカバー板４２とを有し、袋部７１によって形成される中空部４４の気流の下流側に、ベース板４１とカバー板４２との接合によって形成される中空部４３が位置する。ベース板４１とカバー板４２との接合によって形成される中空部４３の厚みを薄くする場合には、ベース板４１とカバー板４２との間隔を狭めればよく、ベース板４１及びカバー板４２の厚み自体を薄くする必要がない。そのため、下側上下方向風向調整板１５の気流の下流側の先端を細くしつつ、その先端を中空状にすることを、成型上又は加工上の困難性が増えることのない第１領域５１の中空部４３の厚みを薄くすることによって実現でき、上下方向風向調整板の先端に生じる結露の抑制と、その先端の周囲の表面に生じる結露の抑制と、を両立することができる。
【００５８】
特に、下側上下方向風向調整板１５が、その下面の少なくとも一部が、冷房運転時に、吸込口２ｄと吹出口２ｅとの間の風路の延長面の下側に位置するように、下側支持部１３によって支持されている場合においても、上下方向風向調整板の先端に生じる結露の抑制と、その先端の周囲の表面に生じる結露の抑制と、を両立することができる。
【００５９】
実施の形態２．
実施の形態２に係る空気調和機の室内機について説明する。
なお、以下では、実施の形態１と重複又は類似する説明については、適宜簡略化又は省略している。
【００６０】
＜空気調和機の室内機の構成＞
以下に、実施の形態２に係る空気調和機の室内機の構成について説明する。
【００６１】
（下側上下方向風向調整板の構成）
以下に、実施の形態２に係る空気調和機の室内機の、下側上下方向風向調整板の構成について説明する。
【００６２】
図１２は、本発明の実施の形態２に係る空気調和機の室内機の、下側上下方向風向調整板の、ベース板にカバー板が接合された状態での断面図である。なお、図１２は、図７におけるＣ−Ｃ線での外側第２領域５２ａの周辺の断面図である。また、図１２では、外側第２領域５２ａの周辺の断面図を示しているが、中央側第２領域５２ｂの周辺の断面図についても同様である。
【００６３】
図１２に示されるように、中空部４４の全て又は一部に、断熱材４５が配設される。
【００６４】
＜空気調和機の室内機の作用＞
以下に、実施の形態２に係る空気調和機の室内機の作用について説明する。
中空部４４は、袋部７１の開口部７７がカバー板４２によって塞がれることで形成されるが、第２領域５２の剛性の不足によって、カバー板４２のリブ８１が形成される領域の外側の領域と段差７８との間に隙間が生じる場合があり、そのような場合には、断熱性能が低下してしまう。下側上下方向風向調整板１５では、中空部４４の全て又は一部に、断熱材４５が配設されるため、そのような場合でも、断熱性能が低下することが抑制され、第２領域５２の表面に生じる結露の抑制が確実化される。
【００６５】
なお、実施の形態１に係る空気調和機の室内機では、カバー板４２の裏面に全周に亘って形成されるリブ８１によって、ベース板４１とカバー板４２との間に、密閉された中空部４３が形成されるが、リブ８１が断続的に形成されていてもよく、そのような場合には、中空部４３の密閉性が不足する場合がある。そのような場合においても、中空部４４と同様に、中空部４３の全て又は一部に、断熱材４５が配設されるとよい。
【００６６】
以上、実施の形態１及び実施の形態２について説明したが、本発明は各実施の形態の説明に限定されない。例えば、各実施の形態の全て又は一部を組み合わせることも可能である。
【符号の説明】
【００６７】
１  室内機、２  筐体、２ａ  基台、２ｂ  枠体、２ｃ  前面パネル、２ｄ  吸込口、２ｅ  吹出口、３  送風機、４  熱交換器、５  フィルターユニット、６  電気品箱、６ａ  制御装置、７  ドレンパン組立体、８  リアガイド、１１  ノズル部、１２  上側支持部、１３  下側支持部、１３ａ＿１、１３ａ＿２  下側外側支持部、１３ｂ＿１、１３ｂ＿２  下側中央側支持部、１３ｂａ  穴、１４  上側上下方向風向調整板、１５、１５＿１、１５＿２  下側上下方向風向調整板、２１  回動機構、２１ａ  出力軸、２２  連結部材、３１  連結部、３１ａ  穴、３２  連結部、３２ａ  軸部材、４１  ベース板、４２  カバー板、４３  中空部、４４  中空部、４５  断熱材、５１  第１領域、５２  第２領域、５２ａ  外側第２領域、５２ｂ  中央側第２領域、６１  壁面、６２  段差、６３  リブ、７１  袋部、７２、７３  壁面、７４〜７６  側壁面、７７  開口部、７８  段差、８１  リブ。
【図１】
0005963719.tif 000002
【図２】
0005963719.tif 000003
【図３】
0005963719.tif 000004
【図４】
0005963719.tif 000005
【図５】
0005963719.tif 000006
【図６】
0005963719.tif 000007
【図７】
0005963719.tif 000008
【図８】
0005963719.tif 000009
【図９】
0005963719.tif 000010
【図１０】
0005963719.tif 000011
【図１１】
0005963719.tif 000012
【図１２】
0005963719.tif 000013